(57)【要約】【課題】カメラを使用時の強い光線の散乱によるファインダーとLCDディスプレーへの悪影響を改善すると同時に、ファインダーをほこりと傷から保護する。【解決手段】枠と枠に取り付ける光線を遮るフードを有し、前記の枠はスプリットタイプであって、枠の中に透明の板が取り付けてあり、枠に回転の光線を遮るフードが取り付けてあり、回転によって折り畳み可能であって、枠の別な側に回転できる蓋が取り付けてあり、その蓋は折り畳んだ、光線を遮るフードに被さることができ、枠がカメラと連結する表面に粘着剤が設けられる。【選択図】図１
0003117508.tif 000002
【実用新案登録請求の範囲】
【請求項１】
カメラのファインダー保護装置であり、枠と枠に取り付ける光線を遮るフードを有し、枠はスプリットタイプであって、枠の中に透明の板が取り付けてあり、枠に回転の光線を遮るフードも取り付けてあり、回転によって折り畳み可能であって、枠の別な側に回転できる蓋が取り付けてあり、その蓋は折り畳んだ光線を遮るフードに被さることができ、枠がカメラと連結する表面に粘着剤が設けられることを特徴とするカメラのファインダーの保護装置
【請求項２】
前記ファインダー保護装置は、少なくとも二部分からなる構成であり、一部分に他の部分に連結する鉤状の突起が取り付けてあり、別な一部分は上記の鉤状の突起と位置が相応するところに、上記の鉤状の突起が入り込める切欠きが設けられることを特徴とする請求項1に記載のファインダー保護装置。
【請求項３】
前記切欠きの形は、一端が大きくて他端が小さい割れ目であり、大きい一端の大きさは、鉤状の突起の最大の切断面に相応し、小さい一端の大きさは鉤状の突起の小さい切断面に相応することを特徴とする請求項２に記載のファインダー保護装置。
【請求項４】
前記鉤状の突起が枠と連結する部分は切断面が小さく、他端は切断面が大きいことを特徴とする請求項２に記載のファインダー保護装置。
【請求項５】
二部分からなっている枠は、枠の一部分に磁性体を設け、もう一部分に磁性体或いは鉄の塊を設けることを特徴とする請求項１に記載のファインダー保護装置。
【請求項６】
前記粘着剤は、両面とも粘着できる帯状のものであり、透明の板の縁に従って形成されることを特徴とする請求項１に記載のファインダー保護装置。
【考案の詳細な説明】
【技術分野】
【０００１】
本考案は、カメラの補助装置分野であって、ファインダーの保護に関する技術である。
【背景技術】
【０００２】
従来の120カメラは、ウエストレベルファインダーの中に、相応する保護装置がないため、ビューファインダーにはほこりが溜まり、壊れる恐れもある。そのうえ、溜まったほこりの清掃がしにくいため、強い光線の妨害でファインダーの映像が見えなくなり、悪影響が生じる。
【０００３】
この数年来普及してきたDCのLCDファインダーには、覆うものがないので、ほこりと傷の問題は従来の120カメラと比べてもっと深刻である。また、LCDファインダーの特性で、側面から見れば効果がそれほどよくない。光が強い場所でこの現象はもっと重要である。
【考案の開示】
【考案が解決しようとする課題】
【０００４】
カメラの普及に従って、多種の付加機能を提供する補助装置が増加した。ファインダーは、カメラの主要な部品であるが、使用時において使用者は、主にレンズをメンテナンスし、ファインダーのメンテナンスをしない。そのため、しばらく使用すると、ファインダーがほこりまみれになり、ひどい場合は傷がつく。そこで、防塵とファインダーを保護する機能があるカメラのファインダー保護装置を提供する。
【課題を解決するための手段】
【０００５】
請求項１に記載した考案は、カメラのファインダー保護装置であり、枠と枠に取り付ける光線を遮るフードを有し、枠はスプリットタイプであって、枠の中に透明の板が取り付けてあり、枠に回転の光線を遮るフードも取り付けてあり、回転によって折り畳み可能であって、枠の別な側に回転できる蓋が取り付けてあり、その蓋は折り畳んだ光線を遮るフードに被さることができ、枠がカメラと連結する表面に粘着剤が設けられることを特徴とするカメラのファインダーの保護装置である。
【０００６】
請求項２に記載した考案は、前記ファインダー保護装置が、少なくとも二部分からなる構成であり、一部分に他の部分に連結する鉤状の突起が取り付けてあり、別な一部分は上記の鉤状の突起と位置が相応するところに、上記の鉤状の突起が入り込める切欠きが設けられることを特徴とする請求項1に記載のファインダー保護装置である。
【０００７】
請求項３に記載した考案は、前記切欠きの形が、一端が大きくて他端が小さい割れ目であり、大きい一端の大きさが、鉤状の突起の最大の切断面に相応し、小さい一端の大きさが、鉤状の突起の小さい切断面に相応することを特徴とする請求項２に記載のファインダー保護装置である。
【０００８】
請求項４に記載した考案は、前記鉤状の突起が枠と連結する部分は切断面が小さく、他端は切断面が大きいことを特徴とする請求項２に記載のファインダー保護装置である。
【０００９】
請求項５に記載した考案は、二部分からなっている枠が、枠の一部分に磁性体を設け、もう一部分に磁性体、或いは、鉄の塊を設けることを特徴とする請求項１に記載のファインダー保護装置である。
【００１０】
請求項６に記載の考案は、前記粘着剤が、両面とも粘着できる帯状のものであり、透明の板の縁に従って形成されることを特徴とする請求項１記載のファインダー保護装置である。
【考案の効果】
【００１１】
本考案は、上記の課題を解決するための手段によって以下の効果を奏する。
【００１２】
保護装置の縁に粘着剤を設ける構造によって、上記の保護装置は、カメラに専用部品なしで取り付け可能であるため、カメラ本体の損傷を防止できる。また、カメラのファインダーを密封できるため、防塵効果を有する。
【００１３】
保護装置に透明の板を取り付ける構造によって、ファインダーが密封さても構図効果に影響を与えない。
【００１４】
保護装置の枠に光線を遮るフードと蓋を取り付ける構造によって、保護装置は光の下で強い光線を遮る効果を備える。
【００１５】
スプリット構造によって、保護装置の透明の板を保護する。また、光線を遮る必要がない時、容易に光線を遮る部分を取り除けば、多種な場合で使用できる。
【考案を実施するための最良の形態】
【００１６】
本考案の目的は、防塵とファインダーを保護する機能を有するカメラのファインダー保護装置を提供することにある。当該装置は同時にDCのLCDファインダーのほこりと傷の問題を解決し、強い光線を遮る効果を有し、更に、容易にカメラに取り付けることができる。
【００１７】
LCDディスプレーの保護装置は、枠と枠に取り付ける光線を遮るフードを有し、その枠はスプリットタイプであって、枠の中に透明の板が取り付けてあり、枠に回転の光線を遮るフードも取り付けてあり、回転によって折り畳み可能であって、枠の別な側に回転できる蓋が取り付けてあり、その蓋は折り畳んだ光線を遮るフードに被さることができ、枠がカメラと連結する表面に粘着剤が設けられる。
【００１８】
上記のスプリットタイプの枠は少なくとも二部分からなっている構成であり、一部分にほかの部分に連結する鉤状の突起が取り付けてあり、別な一部分は上記の鉤状の突起と位置が相応するところに、上記の鉤状の突起が入り込める切欠きが設けられる。
【００１９】
その切欠きの形は、一端が大きくて他端が小さい割れ目であり、大きい一端の大きさは、鉤状の突起の最大の切断面に相応し、小さい一端の大きさは鉤状の突起の小さい切断面に相応する。
【００２０】
その鉤状の突起が枠と連結する部分は切断面が小さく、他端は切断面が大きい。
【００２１】
二部分からなっている枠の構成については、枠の一部分に磁性体を設け、もう一部分に磁性体或いは鉄の塊が設設けられる。
【００２２】
上記の粘着剤は両面とも粘着できる帯状のものであり、透明の板の縁に従って形成される。
【実施例】
【００２３】
図1と図2に基づいてファインダー保護装置の構造を以下に説明する。光線を遮るフードは２枚で24と26である。光線を遮るフード24と26は、対応する枠20の凹んだ部分に取り付けられる。光線を遮るフード24と26は平行し、対応する枠20の凹んだ部分に蝶番で枠20と連結される。
【００２４】
この光線を遮るフード24と26が蝶番に連結する箇所には、ばね242と262が設けられる。
【００２５】
蓋28は、枠20の他端に取り付けられ、上記の光線を遮るフード24と26が連結する方向と直交する方向に取り付けられる。蓋28の大きさで、上記の２枚の光線を遮るフード24と26を覆う。上記の蓋28には、上記の光線を遮るフード24と26が、安定して回転できるように、弓形の切欠きが設けられるため、光線を遮るフード24と26は安定して回転できる。蓋28の他の面に突起する蓋の歯282が設けられ、蓋28が光線を遮るフード24と26を覆った時、蓋28によって枠20の相応する位置にある切欠きに入り、上記の蓋28を覆い被さった状態になる。
【００２６】
上記の枠20は、保護装置の枠の上半部分であり、上記の部品は全部その枠20に設けられる。
【００２７】
図3、図4、図5に基づいて、保護装置の枠の下半部分の枠10を説明する。上記の枠10と20の間の連結面に連結部品が設けられる。枠20に他の部分との連結に用いる鉤状の突起が設けられる。その鉤状の突起が枠と連結する部分は切断面が小さく、他端は切断面が大きい。
【００２８】
枠10に切欠き16が設けられ、その切欠きの形は一端が大きく、他端が小さい割れ目である。大きい一端の大きさは鉤状の突起の最大の切断面に相応し、小さい一端の大きさは鉤状の突起の小さい切断面に相応する。上記の相応する鉤状の突起と切欠き16は、使用時において四つ使う。また、使用時において、鉤状の突起を切欠き16の大きい一端に差し込み、平行移動して切欠き16の小さい一端に入って枠との連結を完成する。
【００２９】
枠10に透明の板12が設けられ、その透明の板12の大きさは、組み合わせて使用するカメラのファインダーに相応するのが好ましい。
【００３０】
枠10には粘着剤があり、常用の両面テープが粘着剤である。無論、他にシールなどの粘着剤を使用してもよい。
【００３１】
使用時は、まず上記のファインダー保護装置をファインダーに向け、カメラに粘着する。光線を遮る必要がある場合は、保護装置の上半部分をカメラに連結する。光線を遮る必要がない場合は、上記の部分を取り外すとよい。残った部分があっても、透明の板12を通して観察しても、観察と構図に悪影響を与えない。それと同時に防塵とファインダーを保護する効果もある。
【００３２】
本考案の第二実施例は、主要な構造は上記の構造ほぼ同じであるが、枠の連結方法が異なっており、磁性体の引力によって連結する。具体的には、スプリットタイプの枠の一部分に磁性体が設けられ、他の一部分に磁性体あるいは鉄の塊などの磁性体と引力が生じる金属の塊が設けられる。この方式によって、もっと容易に枠のスプリット構造の取り付けと取り外しを実現できる。
【図面の簡単な説明】
【００３３】
【図１】本考案の立体説明図である。
【図２】本考案の分解説明図である。
【図３】本考案の枠のスプリット構造を示す説明図である。
【図４】本考案の枠のスプリット構造を示す平面図である。
【図５】本考案の枠のスプリット構造を示す透視図である。
【符号の説明】
【００３４】
１０  枠
１２  板
１６  切欠き
２０  枠
２４  フード
２６  フード
２８  蓋
２４２  ばね
２６２  ばね
２８２  歯
【図１】
0003117508.tif 000003
【図２】
0003117508.tif 000004
【図３】
0003117508.tif 000005
【図４】
0003117508.tif 000006
【図５】
0003117508.tif 000007